【事件の表示】
　特願２００６−　６６４４１「キーボード」拒絶査定不服審判事件〔平成１９年　９月２０日出願公開、特開２００７−２４１８８７〕について、次のとおり審決する。
【結　論】
　本件審判の請求は、成り立たない。
【理　由】
１．手続の経緯と本件発明
　本願は平成１８年３月１０日の出願であって、同２２年１２月１６日付拒絶理由通知に対して同２３年２月４日に意見書と手続補正書が提出されたが、同２３年１１月２１日付で拒絶査定がなされたものである。これに対し、該査定の取消しを求めて本件審判が平成２４年１月２３日に請求されると同時に明細書と特許請求の範囲を対象とする手続補正書が提出され、その後、当審の同２４年７月２５日付審尋に対して同２４年９月１０日に回答書が提出されている。
　
２．平成２４年１月２３日付手続補正の却下の決定
【補正却下の決定の結論】
　平成２４年１月２３日付手続補正（以下、「本件補正」という。）を却下する。
　
【理由】
2.1　本件補正の内容
　本件補正は、特許請求の範囲の請求項１，９及び１０を以下に補正箇所に下線を付して示すとおり補正するとともに、明細書の段落７を補正された請求項１と整合させるべく補正するものである。
　
2.1.1　補正前の請求項１，９及び１０
「　【請求項１】
　キーボード本体内にメンブレンスイッチが組み込まれてなる構成であり、
　前記メンブレンスイッチが、下側に位置しており、上面にコンタクト及び配線パターンのパターンを有する下側樹脂シートと、上側に位置しており、下面にコンタクト及び配線パターンのパターンを有する上側樹脂シートと、該下側樹脂シートと該上側樹脂シートとの間に比誘電率が所定値以上の誘電体として挟まれたスペーサ樹脂シートとよりなる構成であるキーボードにおいて、
　該メンブレンスイッチは、ＵＷＢ平面アンテナを有し、
　該ＵＷＢ平面アンテナは、アンテナエレメントパターンと、該アンテナエレメントパターンより延在しているマイクロ波伝送線路と、前記アンテナエレメントパターンと並ぶ接地パターンとが、前記上側樹脂シート及び／又は下側樹脂シートに形成されている構成であることを特徴とするキーボード。
　　【請求項９】
　キーボード本体内にメンブレンスイッチが組み込まれてなる構成のキーボードにおいて、
　可撓性を有する比誘電率が所定値以上の誘電体としてのシートの片面にアンテナエレメントパターン及び該アンテナエレメントパターンより延在しているマイクロストリップラインとを有し、該シートの反対側の面に接地パターンを有する構成のＵＷＢ平面アンテナを、前記キーボード本体の内部に貼り付けて設けた構成としたことを特徴とするキーボード。
　　【請求項１０】
　下側樹脂シートと、上側樹脂シートと、この間に比誘電率が所定値以上の誘電体として挟まれたスペーサ樹脂シートよりなり、キーボード本体内に組み込まれるキーボード用メンブレンスイッチにおいて、
　アンテナエレメントパターンと、該アンテナエレメントパターンより延在しているマイクロ波伝送線路と、接地パターンとが、前記上側樹脂シート及び／又は下側樹脂シートシートに形成してあり、該キーボード用メンブレンスイッチがＵＷＢ平面アンテナを備えた構成としたことを特徴とするキーボード用メンブレンスイッチ。」
　
2.1.2　補正後の請求項１，９及び１０
「　【請求項１】
　キーボード本体内にメンブレンスイッチが組み込まれてなる構成であり、
　前記メンブレンスイッチが、下側に位置しており、上面にコンタクト及び配線パターンのパターンを有する下側樹脂シートと、上側に位置しており、下面にコンタクト及び配線パターンのパターンを有する上側樹脂シートと、該下側樹脂シートと該上側樹脂シートとの間に比誘電率が所定値以上の誘電体として挟まれたスペーサ樹脂シートとよりなる構成であるキーボードにおいて、
　該メンブレンスイッチは、ＵＷＢ平面アンテナを有し、
　該ＵＷＢ平面アンテナは、
ホームベース形状の
重ならないで
　　【請求項９】
　キーボード本体内にメンブレンスイッチが組み込まれてなる構成のキーボードにおいて、
　可撓性を有する比誘電率が所定値以上の誘電体としてのシートの片面に
ホームベース形状の
前記アンテナエレメントパターンと重ならないで並ぶ
　　【請求項１０】
　下側樹脂シートと、上側樹脂シートと、この間に比誘電率が所定値以上の誘電体として挟まれたスペーサ樹脂シートよりなり、キーボード本体内に組み込まれるキーボード用メンブレンスイッチにおいて、
　
ホームベース形状の
前記アンテナエレメントパターンと重ならないで並ぶ
　
2.2　補正の適否
　本件補正は、請求項１，９及び１０において、発明特定事項である「アンテナエレメントパターン」については「ホームベース形状の」という限定、そして「接地パターン」については「アンテナエレメントパターンと重ならない位置で並ぶ」という限定を加えることにより、特許請求の範囲を減縮することをを目的とするものである。
　そこで、本件補正後の請求項１に係る発明が、特許出願の際独立して特許をうけることができるものであるか、検討する。
　
2.3　補正発明
　本件補正後の請求項１に係る発明（以下、「補正発明」という。）は、上記2.1.2の【請求項１】に記載された事項により特定されるとおりのものである。
　
2.4　刊行物記載の発明または事項
　本願の出願前に頒布された、以下の刊行物には、それぞれ以下の記載がある。
　刊行物１：　特開２００３−１３１７９２号公報
　刊行物２：　特開平３−２２９３１６号公報
　刊行物３：　米国特許第５８２８３４０号明細書
　
2.4.1　刊行物１
ａ．（発明の詳細な説明、段落１６〜２５）
「【００１６】
【発明の実施の形態】以下、本発明の実施の形態を図面に基づき説明する。図１は本発明によるワイヤレスキーボードの一実施形態の概略を分解して示す平面図である。図示するように、キーボード筐体１１は底面側筐体部１１ａと上面側筐体部１１ｂとで主構成をなし、その底面側筐体部１１ｂの内方には支持板１２が配置固定されている。この支持板１２は、キー配列領域１３以上の大きさに形成され、キー配列構造体１４を、その下方（底面側筐体部１１ａ側）、対向位置にて支持する。支持板１２に導電性金属板を用いれば、合成樹脂成形品であるキーボード筐体１１の補強、静電対策及び電磁シールドにも役立つ。
【００１７】図中、矢印イ，ロは、底面側筐体部１１ａの内方上面にキー配列構造体１４が載置固定され、その上方から上面側筐体部１１ｂがそれらを被うようにして底面側筐体部１１ａに組み付けられることを表している。
【００１８】上記キー配列構造体１４は、文字、数字あるいは記号等に対応して所定位置に配置された複数のキー（キー群）及び各キーの押圧操作によりオンするスイッチ（スイッチ群）とを備えてなる。
【００１９】キー配列構造体１４は、ここではメンブレンスイッチを備えてなる。メンブレンスイッチは、絶縁性フィルム（ポリエステルフィルム）上に接点及び配線パターン（導電性パターン）をスクリーン印刷等により被着形成した電極シートを用いてキー群を構成するもので、主に１層タイプ、２層タイプ及び３層タイプがある。１層タイプは導電性ラバー付のキーを併用してスイッチを構成し、３層タイプはポリエステルフィルムからなるスペーサシートを挟んで上記電極シートを一対対向配置させてスイッチを構成するものである。２層タイプは、いずれか一方の電極シートの、他方の電極シートとの対向面の適宜箇所に、３層タイプにおけるスペーサシートに相当する間隔保持層を印刷等により被着形成してスイッチを構成するものである。
【００２０】図中、１４ａは、このようなメンブレンスイッチにおける電極シート、ここでは３層タイプのメンブレンスイッチにおける最下層の電極シートであり、導電性の接点パターンＰ１及び配線パターンＰ２がスクリーン印刷等により被着形成されている。
【００２１】なお、この電極シート１４ａは、上述したようにキー配列構造体１４の一部を構成するものであるが、説明の便宜上、底面側筐体部１１ａ上に位置した状態で示している。また、接点パターンＰ１及び配線パターンＰ２は、一部のみ図示しているに過ぎず、実際には電極シート１４ａ上のキー配列領域１３対応箇所のほぼ全域に亘って形成されている。
【００２２】上記底面側筐体部１１ａの内方の、テンキー等が配列されるテンキー配列領域１３ａの図中上部側（キーボード奥側）には、各キーの押圧に対応したキーボード出力信号を生成するコントローラ部１５及び生成されたキーボード出力信号が入力される送信部１６が取付固定されている。
【００２３】また、底面側筐体部１１ａの適宜箇所には、上記コントローラ１５及び送信部１６に直流電源を供給する電池(図示せず)の格納部１７が、底面側筐体部裏面側から電池を着脱可能に形成されている。
【００２４】上記送信部１６には、キーボード出力信号（高周波信号）を空中に放射するためのアンテナ線１８が導電線、例えばシールド線１９，１９を介して接続されている。アンテナ線１８は、図示例ではループアンテナであって、キーボード長手方向に沿って配置されている。アンテナ線１８と送信部１６との接続は、着脱自在のコネクタ（図示せず）を用いて行ってもよく、また、アンテナ線１８側の雄端子部を、送信部１６側の雌端子部内に押圧挿入することで、雄端子部が雌端子部内に圧接保持される接続構造（図示せず）を有するものを用いてもよい。
【００２５】ここでアンテナ線１８は、上記電極シート１４ａ上に被着形成された導電性パターンからなる。この導電性パターンを、以下、アンテナ線パターンＰ３と記すと、アンテナ線パターンＰ３は、上記電極シート１４ａ上に、上記導電性の接点パターンＰ１及び配線パターンＰ２の形成と同時に形成される。これらのパターンＰ１〜Ｐ３は、スクリーン印刷等によって電極シート１４ａ上に被着形成される。」
　
　上記段落【００１９】の、「メンブレンスイッチは、絶縁性フィルム（ポリエステルフィルム）上に接点及び配線パターン（導電性パターン）をスクリーン印刷等により被着形成した電極シートを用いてキー群を構成するもので、」及び「３層タイプはポリエステルフィルムからなるスペーサシートを挟んで上記電極シートを一対対向配置させてスイッチを構成するものである。」との記載から、３層タイプのメンブレンスイッチが、「下側に位置しており、絶縁性フィルムの上面に接点及び配線パターンのパターンを有する下側電極シートと、上側に位置しており、絶縁性フィルムの下面に接点及び配線パターンのパターンを有する上側電極シートと、該下側電極シートと該上側電極シートとの間にポリエステルフィルムからなるスペーサシートとよりなる構成」のものであることは、当業者にとって自明である。また、アンテナ線１８は、電極シート上に被着された導電性パターンからなるものであるから、「平面アンテナ」であることも自明である。
　そこで摘記事項を、技術常識を考慮しつつ、補正発明の記載に沿って整理すると、刊行物１には次の発明が記載されているということができる。
「キーボード筐体内にメンブレンスイッチが組み込まれてなる構成であり、
　前記メンブレンスイッチが、下側に位置しており、絶縁性フィルムの上面に接点及び配線パターンのパターンを有する下側電極シートと、上側に位置しており、絶縁性フィルムの下面に接点及び配線パターンのパターンを有する上側電極シートと、該下側電極シートと該上側電極シートとの間に挟まれたポリエステルフィルムからなるスペーサシートとよりなる構成であるワイヤレスキーボードにおいて、
　該メンブレンスイッチは、平面アンテナを有する、ワイヤレスキーボード。」（以下、「刊行物１記載の発明」という。）
　
2.4.2　刊行物２
ａ．（第３ページ左上欄第１６〜２０行）
「それに替わって、より低価格化を狙ったメンブレンキーボードが開発されている。
　メンブレン(Membrane)とは薄い膜のことであり、誘電体のシートを複数枚組み合わせてメンブレンスイッチを構成したキーボードである。」
ｂ．（第３ページ左下欄第２〜７行）
「メンブレンシート２は、間隔シート2aと下部シート2b、上部シート2cとで構成されている。
　間隔シート2aと下部シート2b、上部シート2cには、例えば膜厚が100μｍ前後で、耐候性や耐薬品性があり、比較的剛性もあって機械的にも強いポリエステルフィルムが多用されている。」
　
　上記から、刊行物２には次の事項が記載されているということができる。
「キーボードに組み込まれるメンブレンスイッチにおいて、メンブレンシートとしてポリエステルフィルムからなる誘電体シートを用いること。」（以下、「刊行物２記載の事項」という。）
　
2.4.3　刊行物３
ａ．（第１欄第４〜８行）
「The present invention relates to wideband, planar antennas. In particular, the present invention is a novel, subwavelength, planar monopole antenna that features wideband operation and that can be manufactured using printed circuit methods.」
ｂ．（第２欄第４３〜４６行）
「The operational bandwidth in terms of a -10dB input return loss is unexpectedly and advantageously in excess of 40% with measured values of greater than 50% being typical.」
ｃ．（第３欄第９〜２３行）
「The tab monopole 2 is comprised of a sub-wavelength, tapered, radiating element or tab 10, fed by a a suitable transmission line 12 and situated above a planar conductive ground plane 14 when the antenna 2 is oriented as illustrated in FIG.1. The tab 10 is a thin, flat, planar conductive element having a top edge 16  and a bottom end 18, wherein the top edge 16 is wider than bottom end 18. A tapered transition region 20 of the tab 10 is located between the top edge 16 and the bottom end 18. The tab is connected to the feeding transmission line 12 at the bottom end 18 of the tab 10. The tab surface is paralel with the ground plane 14 surface. The tab 10 and the ground plane 14 are constructed from a suitable low loss conductive material or metal, such as but not limited to, copper, gold, silver, brass or aluminium.」
ｄ．（第３欄第４１〜６２行）
「In the preferred embodiment, the tab monopole 2 may be constructed using standard printed circuit board etching processes wherein conventional photo-lithographic methods are used to define a metal pattern on a metallized dielectric substrate. Several transmission lines types are well suited for printed circuit board application including microstrip, stripline, coplanar waveguide and grounded coplanar waveguide. A coplanar waveguide is illustrated as the feeding transmission line 12 in FIG.1. A grounded coplanar waveguide is illustrated in FIGS.2 and 3 as the feeding transmission line 12. When constructed using printed circuit methods and using a coplanar waveguide, the tab 10 and the ground plane 14 are coplanar. In the case of grounded coplanar waveguide, the ground plane 14 is coplanar with the tab 10 and a second conductive ground plane 15 on the back side of the substrate is used as illustrated in FIG.3. In the case of microstrip, the back side ground plane 15 is used without including the ground plane 14 so that the tab 10 and ground plane 15 are not coplanar but are simply parallel. When a back side ground plane 15 is used, the ground plane 15 upper edge is aligned with the bottom end 18 of the tab 10 as was the case for the ground plane 14.」
ｅ．（FIGS.1, 2, 3）
　平面アンテナ(planar monopole antenna)は、ホームベース形状のアンテナエレメントパターン(tab 10)と、該アンテナエレメントパターンより延在している伝送線路(transmission line 12)と、前記アンテナエレメントパターンと重ならないで並ぶ接地パターン(ground plane 14, 15)とが、誘電体からなる基板(dielectric substrate)に形成されている構成であることが、理解されると認める。
　
　上記を整理すると、刊行物３には次の事項が記載されているということができる。
「広帯域(wideband)の平面アンテナ(planar monopole antenna)が、ホームベース形状のアンテナエレメントパターン(tab 10)と、該アンテナエレメントパターンより延在している伝送線路(transmission line 12)と、前記アンテナエレメントパターンと重ならないで並ぶ接地パターン(ground plane)とが、誘電体からなる基板(dielectric substrate)に形成されている構成であること。」
　
2.5　対比
　補正発明と刊行物１記載の発明とを比較すると、後者の上下の「電極シート」を構成する「絶縁性フィルム」が通常、樹脂からなる薄膜であることは当業者の間の一般知識であり、「スペーサシート」もポリエステルからなるため、後者の「キーボード筐体」、「接点」、「下側電極シート」、「上側電極シート」、「スペーサシート」及び「ワイヤレスキーボード」が、前者の「キーボード本体」、「コンタクト」、「下側樹脂シート」、「上側樹脂シート」、「スペーサ樹脂シート」及び「キーボード」にそれぞれ相当することは明白である。
　そうしてみると、補正発明と刊行物１記載の発明とは、以下の点において一致し、また相違すると認められる。
＜一致点＞
「キーボード本体内にメンブレンスイッチが組み込まれてなる構成であり、
　前記メンブレンスイッチが、下側に位置しており、上面にコンタクト及び配線パターンのパターンを有する下側樹脂シートと、上側に位置しており、下面にコンタクト及び配線パターンのパターンを有する上側樹脂シートと、該下側樹脂シートと該上側樹脂シートとの間に挟まれたスペーサ樹脂シートとよりなる構成であるキーボードにおいて、
　該メンブレンスイッチは、平面アンテナを有する、キーボード。」である点。
＜相違点１＞
　スペーサ樹脂シートが、前者では比誘電率が所定値以上の誘電体であるのに対し、後者ではポリエステルからなるものの、比誘電率が所定値以上の誘電体であるか、不明である点。
＜相違点２＞
　平面アンテナが、前者ではホームベース形状のアンテナエレメントパターンと、該アンテナエレメントパターンより延在しているマイクロ波伝送線路と、前記アンテナエレメントパターンと重ならないで並ぶ接地パターンとが、前記上側樹脂シート及び／又は下側樹脂シートに形成されている構成をもつＵＷＢ平面アンテナであるのに対し、後者ではそのようなものでない点。
　
2.6　相違点の検討
2.6.1　相違点１について
　刊行物２には、「キーボードに組み込まれるメンブレンスイッチにおいて、メンブレンシートとしてポリエステルフィルムからなる誘電体シートを用いること。」が記載されており、スイッチとして機能する以上、刊行物１記載の発明においても、ポリエステルからなるスペーサ樹脂シートが誘電体であることは自明である。
　刊行物１にも刊行物２にも、スペーサ樹脂シートの比誘電率については明記されていないが、誘電体である以上、一定値以上の比誘電率を有するものであることは明白であるから、比誘電率が「所定値以上」の誘電体であるということができる。
　したがって、＜相違点１＞は実質的な相違ではない。
 
2.6.2　相違点２について
　刊行物３記載の事項の広帯域平面アンテナは、摘記事項ｂから、「超広帯域」、すなわちＵＷＢ平面アンテナであることは明らかである。また、刊行物３には中心周波数を２．６ＧＨｚとすることも記載されており（第４欄第４９，５０行参照。）、これはマイクロ波領域に属する。したがって、刊行物３には、「ホームベース形状のアンテナエレメントパターンと、該アンテナエレメントパターンより延在しているマイクロ波伝送線路と、前記アンテナエレメントパターンと重ならないで並ぶ接地パターンとが、誘電体からなる基板に形成されている構成をもつＵＷＢ平面アンテナ」が記載されているということができ、刊行物２記載の事項に示されるようにメンブレンスイッチのシートは通常、誘電体よりなるから、上記ＵＷＢ平面アンテナを上側樹脂シートまたは下側樹脂シートに形成することは、設計上の選択にすぎない。
　一般に、ワイヤレスキーボードにおいて通信速度を向上させることは周知の課題であり、そのためにアンテナを超広帯域化することは普通に知られた手法であるから、刊行物１記載の発明における平面アンテナを、刊行物３記載のＵＷＢ平面アンテナにて置き換えることは、当業者が容易に想到し得る。
　
2.7　まとめ
　補正発明の作用効果には、刊行物１ないし３記載の発明または事項及び従来周知の事項に基づいて普通に予測される範囲を超える格別のものを見出すこともできないため、補正発明は刊行物１記載の発明及び刊行物２，３記載の事項，並びに従来周知の事項に基づいて当業者が容易に発明をすることができたものであるから、特許出願の際独立して特許をうけることができないものである。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願の発明について
3.1　本件発明
　上記のとおり、平成２４年１月２３日付の手続補正は却下されたので、本願の請求項１ないし１０に係る発明は、平成２３年２月４日付の手続補正書により補正された特許請求の範囲の請求項１ないし１０に記載された事項により特定されるとおりのものと認めるところ、請求項１に係る発明（以下、「本件発明」という。）は、2.1.1の【請求項１】に記載されたとおりである。
　
3.2　刊行物記載の発明または事項
　本願の出願前に頒布された刊行物であって、原査定の拒絶理由に引用された以下の刊行物には、それぞれ以下の記載がある。
　刊行物１：　特開２００３−１３１７９２号公報（2.4の刊行物１）
　刊行物２：　特開平３−２２９３１６号公報
　　　　　　（拒絶査定で示した周知技術を示す文献、2.4の刊行物２）
　刊行物４：　特開２００４−２０７７７７号公報
　
3.2.1　刊行物１
　2.4.1に記載したとおり。
　
3.2.2　刊行物２
　2.4.2に記載したとおり。
　
3.2.3　刊行物４
ａ．（発明の詳細な説明、段落１）
「【０００１】
【発明の属する技術分野】
　本発明は、ＵＨＦ帯又はＳＨＦ帯を用いた、特にＵＷＢ（Ultra  Wide  Band）の用いた無線通信を送受信するためのアンテナ装置に関するものであり、特に、誘電体をストリップ電極と接地電極とで挟む構造のアンテナを備えたアンテナ装置に関するものである。」
ｂ．（同、段落２５）
「【００２５】
また、本発明のアンテナ装置は、上記課題を解決するために、第１の絶縁基板上に形成された接地電極と、第２の絶縁基板上に形成されたストリップ電極と、上記第１の絶縁基板と第２の絶縁基板との隙間に形成された誘電体から形成されているアンテナを備えていることを特徴としている。なお、本発明では、絶縁基板と誘電体との差異として、絶縁基板は製造プロセスの最初から存在しているものである一方、誘電体は製造プロセスの過程で作製されたものとして使い分けている。」
ｃ．（同、段落４７〜４９）
「【００４７】
また、本発明のアンテナ装置は、上記記載のアンテナ装置において、上記記載のアンテナ装置のアンテナが、複数個並設されていることを特徴としている。
【００４８】
上記の発明によれば、上記記載のアンテナ装置のアンテナが、複数個並設されている。
【００４９】
したがって、上記の各アンテナを例えば方向を違えて配置することにより、全体としてアンテナ装置の指向性を広げることができる。」
ｄ．（同、段落５９）
「【００５９】
本実施の形態のアンテナ装置１０は、図１（ａ）（ｂ）（ｃ）に示すように、方形の接地電極１と、この接地電極１の上側に同じ大きさに形成されたガラスからなる誘電体からなる絶縁基板２と、この絶縁基板２の表面においてその中心から両側の端部に向かって長方形の短冊状に形成されたストリップ電極３との３層構造となっている。なお、上記のストリップ電極３の形状は、必ずしも長方形に限らず、長方形に近い形つまり略長方形であればよい。また、上記ストリップ電極３の両端からは、取り出し配線６・６がそれぞれ延びている。」
ｅ．（同、段落８５）
「【００８５】
〔実施の形態２〕
本発明の他の実施の形態について図４ないし図６に基づいて説明すれば、以下の通りである。なお、本実施の形態で説明すること以外の構成は、前記実施の形態１と同じである。また、説明の便宜上、前記の実施の形態１の図面に示した部材と同一の機能を有する部材については、同一の符号を付し、その説明を省略する。」
ｆ．（同、段落９２）
「【００９２】
具体的には、第１の絶縁基板としてのガラス２１上に形成された接地電極１と、第２の絶縁基板としてのガラス２３上に形成されたストリップ電極３と、これらガラス２１とガラス２３との隙間に存在する誘電体２５から形成されているマイクロストリップアンテナを備えている。すなわち、本実施の形態の誘電体２５は、前記の絶縁基板２とは異なる材質にてなっている。」
ｇ．（図４）
　アンテナ装置が，下側に配置された第１の絶縁基板２１と、上側に配置された第２の絶縁基板２３とをもつ、平面アンテナであることが理解される。
　
　摘記事項ａ，ｂ，ｄ〜ｇの内容を整理すると、アンテナ装置は「ＵＷＢ平面アンテナ」と呼ぶことができるものであることは明らかであるから、刊行物４には次の事項が記載されていると認めることができる。
「ＵＷＢ平面アンテナが、ストリップ電極と、該ストリップ電極より延在している取り出し配線と、前記ストリップ電極と並ぶ接地電極とが、下側の絶縁基板及び上側の絶縁基板にそれぞれ形成された構成であること。」（以下、「刊行物４記載の事項」という。）
　
3.3　対比
　本件発明と刊行物１記載の発明とを比較すると、2.5と同様に、両者は以下の点において一致し、また相違すると認められる。
＜一致点＞
「キーボード本体内にメンブレンスイッチが組み込まれてなる構成であり、
　前記メンブレンスイッチが、下側に位置しており、上面にコンタクト及び配線パターンのパターンを有する下側樹脂シートと、上側に位置しており、下面にコンタクト及び配線パターンのパターンを有する上側樹脂シートと、該下側樹脂シートと該上側樹脂シートとの間に挟まれたスペーサ樹脂シートとよりなる構成であるキーボードにおいて、
　該メンブレンスイッチは、平面アンテナを有する、キーボード。」である点。
＜相違点１＞
　スペーサ樹脂シートが、前者では比誘電率が所定値以上の誘電体であるのに対し、後者ではポリエステルからなるものの、比誘電率が所定値以上の誘電体であるか、不明である点。
＜相違点２＞
　平面アンテナが、前者ではアンテナエレメントパターンと、該アンテナエレメントパターンより延在しているマイクロ波伝送線路と、前記アンテナエレメントパターンと並ぶ接地パターンとが、前記上側樹脂シート及び／又は下側樹脂シートに形成されている構成をもつＵＷＢ平面アンテナであるのに対し、後者ではそのようなものでない点。
　
3.4　相違点の検討
3.4.1　相違点１について
　2.6.1に記載したとおりである。
　
3.4.2　相違点２について
　刊行物４記載の事項において、「ストリップ電極」、「接地電極」及び「取り出し配線」が、それぞれ「アンテナエレメントパターン」、「接地パターン」及び「伝送線路」とも呼ぶことができるものであることは当業者に普通に知られており、また、ＵＷＢアンテナの周波数帯域からして、「伝送線路」が「マイクロ波伝送線路」であることは自明である。
　したがって、刊行物４には、「ＵＷＢ平面アンテナが、アンテナエレメントパターンと、該アンテナエレメントパターンより延在しているマイクロ波伝送線路と、前記アンテナエレメントパターンと並ぶ接地パターンとが、上側絶縁基板及び下側絶縁基板にそれぞれ形成された構成であること。」が記載されているということができる。
　一般に、ワイヤレスキーボードにおいて通信速度を向上させることは周知の課題であり、そのためにアンテナを超広帯域化することは普通に知られた手法であるから、刊行物１記載の発明における平面アンテナを、刊行物４記載のＵＷＢ平面アンテナにて置き換えることは、当業者が容易に想到し得る。なお、刊行物４記載の事項では「絶縁基板」はガラス製であるが、絶縁基板を樹脂製とすることは従来より周知かつ慣用の技術である。
　
3.5　むすび
　本件発明の作用効果には、刊行物１記載の発明及び刊行物２，４記載の事項並びに従来周知の事項に基づいて普通に予測される範囲を超える格別のものを見出すこともできないため、本件発明は刊行物１記載の発明及び刊行物２，４記載の事項並びに従来周知の事項に基づいて当業者が容易に発明をすることができたものである。
　したがって、本願の請求項１に係る発明は特許法第２９条第２項の規定により特許をうけることができないものであるから、本願の請求項２ないし１０に係る発明について検討するまでもなく、本願は拒絶すべきである。
　よって、結論のとおり審決する。
　
　なお、請求人は平成２４年９月１０日提出の回答書において補正案を示しているが、当審による同２４年７月２５日付審尋は、その冒頭にも明記したとおり、補正の機会を与えるものではなく、補正案に法的根拠はない。そして、審尋の対象となった同２４年１月２３日付手続補正書による発明については、請求人は回答書で何ら意見を述べていない。
　また、たとえ補正案のとおり補正する機会を与えたとしても、3.2.3の摘記事項ｃには複数のアンテナを方向を違えて配置することが記載されているため、依然として本願の発明に進歩性を認めることはできない。
　　　　　　　　　　　　　　　　　　　　　　　　　　　　　　　　.